(57)【特許請求の範囲】
【請求項１】
スタンドボディーとスタンドトレイを２分割可能な、印判用スタンドにおいて、
前記スタンドトレイには、底にインキ吸蔵体を保持し、内周上端部の１ヶ所に棚部を設け、外周上端部で外周囲に段部を設け、前記段部のうち前記棚部と中心方向で相対する位置に肉ヌスミ部を設け、前記棚部と相対する内周面には穴１５を設けており、
前記スタンドボディーには、印判を収納可能にした挿入孔を穿設し、外周側面には、前記棚部と係脱自在にしたフックを有するロック部を嵌合保持し、更に、前記フックと相対する位置に固定爪を設けて前記穴と着脱自在に係合保持することを特徴とする印判用スタンド。
【請求項２】
肉ヌスミ部をスタンドトレイの外周上端部に外側を低位置にしたテーパー形状としたことを特徴とした請求項１の印判用スタンド。
【請求項３】
肉ヌスミ部をスタンドトレイの外周上端部に外側を低位置とした曲面形状としたことを特徴とした請求項１の印判用スタンド。
【請求項４】
ロック部のフックは、スタンドトレイの棚部と係合する際には、自らの弾発力で係合し、係合解除する際には、ロック部外面を指等で押圧し弾発力に抗して内側に押し込みフックと棚部の係合解除を行なうことを特徴とする請求項１、２、３に記載した印判用スタンド。
【発明の詳細な説明】
【０００１】
【産業上の利用分野】
本発明は、印判、印鑑を立設保持させ更に、ゴム印、回転印、枠付印等の半インキ自給式印判もしくは、インキ自給式でない印判、印鑑用のスタンドであり、特に底部材の底にはインキ吸収体を設けた印判用スタンドに関するものである。
【０００２】
【従来の技術】
従来より印判用スタンドの出願は数多く見られる。特に、上下部材の２分割式においては、実開昭５１−２３１３号（以下、(イ)とする）、実開昭５５−２９２５１号（以下、（ロ）とする。）、実開平４−１３２９７１号（以下、（ハ）とする。）実公平７−３６７７３号（以下、（ニ）とする）、実用新案登録番号第２５０４３６２号(以下、（ホ）とする。)がある。
【０００３】
（イ）は、印判保持枠と底箱からなり、複数個の立上り板部を底箱に設けて、印判保持枠の外枠部と圧接して嵌着されている印判用スタンドである。従って、（イ）は、２部品（底箱と印判保持枠）と圧接嵌着されているだけであり、確実なロック機構を有しておらず、本発明と構成目的を異にしている。またこうした印判用スタンドは、圧接嵌合だけであるので使用時又は、経時で緩みが生じて外れ易くなる。
【０００４】
（ロ）は、（イ）と同様印判保持枠と底箱からなり、底箱にはインキ吸蔵体を設けている。
特に前記印判保持枠と底箱の組み立て（嵌合）は、圧入嵌合されており、確実なロック機構を有しておらず、（イ）と同様な問題点を有しており、よって本発明と構成を異にしている。
【０００５】
（ハ）は、本体と底皿部からなり、インキ吸蔵体を２部品で構成しており、前記２部品を嵌合固定させる為に、可動フックと切欠凹、固定フックと固定窓を設けており、（イ）（ロ）とは異なりフック嵌合をしており、２部品を嵌合固定するものである。
従って、（ハ）は、前記した可動フックと切欠凹、前記した固定フックと固定窓の係合を行うものである。しかし、（ハ）は図より本体の外周壁と底皿部の外周壁とが隙間無く当接され組み付けられているので、本体と底皿部を外す時に外周壁同士が噛むことに成り、外れ難くなる。更に、前後２ヶ所のロック嵌合でありガイド突起もない為、これと垂直方向の左右の力には弱い。
また、成形上も固定窓を確実に作成するには、簡単な金型構成では成形できなく、コストアップの原因にもなる。
【０００６】
（二）は、ゴム印用スタンドであり、スタンド本体と台とは、外周側壁の下端縁に突設された３個の係合爪を介して一体に連結されているものである。また、（二）はインキ補充時のスタンド本体と台の取り外しや、そのたの取り外しを考慮していない。従って、前記２部品は連結しっぱなしでよく、取り外しの為の押圧片を必要としていないので本発明と目的、構成を異にしている。
【０００７】
（ホ）は、本発明と同じで印判ガイド部と底部容器を嵌合（連結）させたり、インキ補充時に、前記２部品を取り外して行うものである。しかしながら、前記２部品の連結方法は、凹凸嵌合、ネジ嵌合等、着脱自在であれば嵌合方法は問わないとあり凹凸嵌合でもよいが、本発明の目的、構成とは異なるものである。
【０００８】
以上の様に、従来より様々な印鑑用スタンド、印判用スタンド等のスタンドの先願がある。しかし、インキ補充の為に印判等が保持される上部材と底容器を係合、取り外しを自由自在に行い、更にロック部材片を設けて容易に確実に前記係合、取り外しを行い、金型作成上も安価なスタンドはない。また、デザイン的にも処理されたものはない。
【０００９】
【発明が解決しようとする課題】
以上のような構成であるので、インキ補充の為に印判等が保持される上部材と底容器を連結、取り外しを自由自在におこなうことができる印判用スタンドにおいて、インキ補充時にロック部材を設けて前記上部材と底容器をすばやく容易に分離・係合を行うことが出来、デザイン的にも処理された印判用スタンドを提供するものである。具体的には、ロック部材を指等で押圧して前記ロック部材の相対する位置を基点として上部材を開口させるとき、部材同士が噛み合ったりして取り外す手間を要することがない印判用スタンドを提供するものである。
【００１０】
【課題を解決するための手段】
上記の課題を解決するために完成された第１の発明の印判用スタンドは、スタンドボディーとスタンドトレイを２分割可能な、印判用スタンドにおいて、前記スタンドトレイには、底にインキ吸蔵体を保持し、内周上端部の１ヶ所に棚部を設け、外周上端部で外周囲に段部を設け、前記段部のうち前記棚部と中心方向で相対する位置に肉ヌスミ部を設け、前記棚部と相対する内周面には穴１５を設けており、前記スタンドボディーには、印判を収納可能にした挿入孔を穿設し、外周側面には、前記棚部と係脱自在にしたフックを有するロック部を嵌合保持し、更に、前記フックと相対する位置に固定爪を設けて前記穴と着脱自在に係合保持することを特徴とする。また、第２の発明は、肉ヌスミ部をスタンドトレイの外周上端部に外側を低位置にしたテーパー形状としたことを特徴とした第１の発明の印判用スタンドである。また、第３の発明は、肉ヌスミ部をスタンドトレイの外周上端部に外側を低位置とした曲面形状としたことを特徴とした第１の発明の印判用スタンドである。また、第４の発明は、ロック部のフックは、スタンドトレイの棚部と係合する際には、自らの弾発力で係合し、係合解除する際には、ロック部外面を指等で押圧し弾発力に抗して内側に押し込みフックと棚部の係合解除を行なうことを特徴とする第１から第３の発明の印判用スタンドである。
【００１１】
【実施例】
本発明の実施例を図１、図２、図３、図４、図５、図６、図７、図８より詳細に説明する。
【００１２】
１は、スタンドボディー２とインキ吸蔵体４を内部に設けたスタンドトレイ３からなる印判用スタンドである。
【００１３】
２は、筒状のスタンドボディーであり、筒状のところを印判が挿入できる挿入孔５として設けており、更に筒状のところを内壁６と外壁７の２重壁構造としている。前記挿入孔５は印判の印面に合わせて丸型、角型等の形状を自由に取ることが出来る。
【００１４】
更に前記印判用スタンドの外観形状は、前記挿入孔５、印判の印面の形状に関係なく丸型角型等自由に形状選択出来る。前記スタンドボディー２の外壁７と内壁６の間にはロック部８が嵌合固定されており、ロック部８の作用片９は、外壁７の周面から露呈されている。
【００１５】
又、ロック部８が設けられた位置と相対する外壁７に固定爪１０を設けて、外壁７の下端面より下方に立設されている。更に前記スタンドボディー２の外壁７には、外壁７の下端面より下方に立設された固定リブ１１を設けている。本実施例では、前記固定リブ１１は、ロック部８と固定爪１０の直線に対して垂直位置に２ヶ所設けられている。前記固定リブ１１は、特に数は特定されるものではないが、スタンドボディー２とスタンドトレイ３の振れ止めの効果を求めることができれば十分である。
【００１６】
３は、インキ吸蔵体４を設けた皿状のスタンドトレイである。前記スタンドトレイ２の外周壁１２の上端部には段部１３を周状に設けている。この段部１３の高さをＨとする。
また、外周壁１２の上端部内面には、棚部１４を中心方向に張設している。本実施例では１ヶ所設けている。更に前記棚部１４に相対する外周壁の内面には、前記固定爪１０が係合する穴を設けおり、その外周壁１２の上端部には肉ヌスミ部１６が設けられている。
【００１７】
肉ヌスミ部１６は、段部１３の高さＨの幅で設けられており、高さＨの幅であれば上部からテーパー形状が、曲面形状かは問わない。基準点Ｐ、終点をＥ点としており、基点Ｐは、スタンドトレイ３とスタンドボディー２を開け、ロック部８のフック１７と棚部１４の係合を外す際には回転の中心点となる。また終点のＥ点は、段部の幅Ｈの間に位置しておれば本発明の意図するところである。また、肉ヌスミ部１６は基点Ｐが設けられておれば本発明の意図するところでもある。
【００１８】
４は、インキ含侵可能なインキ吸蔵体である。材質は、フェルト、合成樹脂からなる多孔質体、セラミックの多孔質体、金属焼結からなる多孔質体等、インキを含侵保持できる材質・構造であれば本発明には使用可能である。
【００１９】
８は、Ｓの字形状をしたバネ性を持たせたロック部であり、フック１７を外壁７の下端面より下方に位置して設けられている。本実施例では、Ｓ字形状をしているが、作用片９とロック部８の空間がなくてもよく、コの字状であてもよい。また、前記ロック部８は、外壁７と内壁６の間に設けられ、外壁７に穴１８を設けてロック部８の爪１９と係合固定している。したがって、作用片９を指等で内側に押圧するとフック１７は、棚部１４から外れて前記フック１７と棚部１４の係合状態を解消する。
【００２０】
次に本発明の印判用スタンド１のインキ補充時のスタンドボディー２とスタンドトレイ３の分解方法について詳細に説明する。（図８、図９）
図２の組み付け状態から説明すると、先ず指等でロック部８の作用片９を内側に押圧すると、作用片９と共にフック１７が内側に移動する。すると、フック１７と棚部１４の係合状態が解消される。次にロック部１７に相対する位置に設けられた固定爪１０と穴１５による係合状態のみとなる。スタンドボディー２を上方に開口するか若しくは、スタンドトレイ３を下方に開口する。そうすると、スタンドトレイ２の外周壁１２の上端部には段部１３を周状に設けて、前記ロック部１７を設けた位置と相対する段部１３に肉ヌスミ部１６（面取りをしてある状態）を設けている為、基点Ｐがこの回転の中心となってスタンドボディー２が回転可能となる。
【００２１】
この回転で、固定爪１０と穴１５の係合が解消される。
この時、肉ヌスミ部１６によって基点Ｐが作られ、この基点Ｐを中心にして容易に回転される。もし、肉ヌスミ部１６が無いと、上端面となり部材同士が噛んでしまいスムーズな回転が出来なくなる。
【００２２】
こうして、印判用スタンド１は、スタンドボディー２とスタンドトレイ３が分離され、インキ吸蔵体４にインキ補充が可能となる。
インキ補充が終了すると、以上とは逆に、固定爪１０と穴１５を係合させ、更に、フック１７と棚部１４とが係合状態となる。
【００２３】
肉ヌスミ部１６の最下点Ｅの位置は、０＜Ｅ≦Ｈであれば本発明の意図するところである。
図７は、肉ヌスミ部１６が面取りされた状態の実施例である。また、図８の肉ヌスミ部１６は、曲面処理された状態の実施例である。
【００２４】
以上のような構成であるので、印判用スタンド１の外観に作用片９以外表面化すること無しに、デザイン処理しやすくなる。また、インキ補充時にロック部材を設けて前記上部材と底容器をすばやく容易に分離することが出来る。
【００２５】
【効果】
以上のような構成であるので、インキ補充の為に印判等が保持されるスタンドボディー２とスタンドトレイ３を連結、取り外しを自由自在におこなうことができる印判用スタンドで、インキ補充時にロック部８を設けてスタンドボディー２とスタンドトレイ３をすばやく容易に分離・係合を行うことが出来、デザイン的にもいかように処理可能な印判用スタンドである。具体的には、ロック部８の作用片９を指等で押圧して前記ロック部８の相対する位置を基点Ｐとしてスタンドボディー２を開口させるとき、部材同士が噛み合ったりして取り外す手間を要することがないものである。
【００２６】
【図面の簡単な説明】
【図１】本発明の実施例の正面断面図（破線は印判をセットした状態である。）。
【図２】本発明の実施例の左側面断面図。
【図３】本発明の実施例のスタンドトレイ３（丸型）の平面図。
【図４】本発明の実施例のスタンドボディー２の底面図。
【図５】本発明の実施例のスタンドボディー２とスタンドトレイ２の分離斜視図。
【図６】本発明の実施例のスタンドトレイ３の他の実施（角型）の平面図。
【図７】本発明の実施例の固定爪１０、肉ヌスミ部１６、段部１３の拡大説明図。
【図８】本発明の実施例の他の肉ヌスミ部１６、固定爪１０、段部１３の拡大説明図。
【符号の説明】
１  ：印判用スタンド
２  ：スタンドボディー
３  ：スタンドトレイ
４  ：インキ吸蔵体
５  ：挿入孔
６  ：内壁
７  ：外壁
８  ：ロック部
９  ：作用片
１０  ：固定爪
１１  ：固定リブ
１２  ：外周壁
１３  ：段部
１４  ：棚部
１５  ：穴
１６  ：肉ヌスミ部
１７  ：フック
１８  ：穴
１９  ：爪
【図１】
0004444453.tif 000002
【図２】
0004444453.tif 000003
【図３】
0004444453.tif 000004
【図４】
0004444453.tif 000005
【図５】
0004444453.tif 000006
【図６】
0004444453.tif 000007
【図７】
0004444453.tif 000008
【図８】
0004444453.tif 000009